(57)【要約】【課題】倒立状態で置いておくだけで粉粒体を自動的に計量することができると共に、計量された粉粒体をスムーズに注出できる倒立計量容器を提供する。【解決手段】粉粒体２０の収容部１３を備える容器本体１１と、収容部１３と微細流路口１５を介して連通する計量室部１４とからなり、倒立状態で粉粒体２０を計量室部１４に落下させて、所定量の粉粒体２０を計量室部１４に堆積させて計量する倒立計量容器１０であって、計量室部１４は、細流路口１５と離間して対向配置された粉粒体受部１６を備えると共に、粉粒体２０を流出させる流出口２１を備えており、微細流路口１５を介して落下する粉粒体２０を計量室部１４の粉粒体受部１６に堆積させ、堆積する粉粒体２０の上端が微細流路口１５に達して微細流路口１５を閉塞すると共に粉粒体２０の落下を遮断することによって所定量の粉粒体を計量する。計量した粉粒体は流出口２１から流出させる。【選択図】図１
2010179931.tif 000002
【特許請求の範囲】
【請求項１】
粉粒体を収容する収容部を備える容器本体と、前記収容部と微細流路口を介して連通する計量室部とからなり、該計量室部を下方に配置した倒立状態で、前記粉粒体を前記収容部から前記計量室部に落下させることにより、所定量の粉粒体を前記計量室部に堆積させて計量する倒立計量容器であって、
前記計量室部は、前記微細流路口と離間して対向配置された粉粒体受部を備えると共に、堆積した粉粒体を流出させる流出口を開閉可能に備えており、
前記微細流路口を介して前記収容部から落下する粉粒体を前記計量室部の前記粉粒体受部に堆積させ、堆積する粉粒体の上端が前記微細流路口に達して該微細流路口を閉塞すると共に粉粒体の落下を遮断することによって所定量の粉粒体を計量し、計量した粉粒体を前記流出口から流出させる倒立計量容器。
【請求項２】
前記微細流路口の口径が、１〜８ｍｍである請求項１記載の倒立計量容器。
【請求項３】
前記微細流路口の口径が、前記計量室部に設けられた前記流出口の口径の１／３以下である請求項２記載の倒立計量容器。
【請求項４】
前記収容部と前記計量室部とは、前記微細流路口が設けられた仕切材によって前記容器本体を仕切ることによって形成される請求項１〜３のいずれかに記載の倒立計量容器。
【請求項５】
前記流出口は、平坦な載置面を有する蓋部材によって開閉可能に封止されるようになっており、前記載置面を介して被載置面に倒立状態で載置される請求項１〜４のいずれかに記載の倒立計量容器。
【発明の詳細な説明】
【技術分野】
【０００１】
本発明は、倒立計量容器に関し、特に、粉粒体を収容する収容部を備える容器本体と、収容部と微細流路口を介して連通する計量室部とからなり、所定量の粉粒体を計量室部に堆積させて計量する倒立計量容器に関する。
【背景技術】
【０００２】
例えば粉末洗剤や粉末漂白剤等の粉体や粒体（以下粉粒体とする）を収容し、収容した粉粒体を所定量計量して使用できるようにする容器やキャップが種々開発されている（例えば、特許文献１参照）。これらの容器やキャップでは、容器を傾けることによって、容器やキャップに設けられた計量部に所定量の粉粒体を取り出して計量した後に、再び容器を傾けることによって、計量した粉粒体を注出させるようになっている。このような所定量の粉粒体を計量して注出させる容器やキャップでは、例えば片手でも粉粒体を計量したり注出したりする操作を行うことが可能である。
【先行技術文献】
【特許文献】
【０００３】
【特許文献１】特開平８−２８２７０２号公報
【発明の概要】
【発明が解決しようとする課題】
【０００４】
一方、上述のような所定量の粉粒体を計量して注出させる容器やキャップでは、使用時に粉粒体を計量して注出する際に、その都度、使用者自身が計量する操作を行って所定量の粉粒体が計量されたことを確認する必要がある。このため、例えば使用時に粉粒体を計量して注出した後に、一端使用者が手を離して容器を放置しておき、再び容器を手に持って繰り返し粉粒体を注出する際にも、その都度所定量の粉粒体を計量する操作を行う必要があることから、煩わしさを感じる場合がある。
【０００５】
したがって、所定量の粉粒体を計量して用いる容器が、例えば容器を置いておくだけで、使用者が手を離して放置されている間に自動的に所定量の粉粒体を計量できる機能を備えていれば、例えば使用時にその都度計量する操作を行うことなく、所定量の粉粒体をスムーズに注出することが可能になって便利である。
【０００６】
本発明は、使用者が手を離して放置している間に、倒立状態で置いておくだけで、所定量の粉粒体を自動的に計量できると共に、計量した所定量の粉粒体を使用時にスムーズに注出できる倒立計量容器を提供することを目的とする。
【課題を解決するための手段】
【０００７】
本発明は、粉粒体を収容する収容部を備える容器本体と、前記収容部と微細流路口を介して連通する計量室部とからなり、該計量室部を下方に配置した倒立状態で、前記粉粒体を前記収容部から前記計量室部に落下させることにより、所定量の粉粒体を前記計量室部に堆積させて計量する倒立計量容器であって、前記計量室部は、前記微細流路口と離間して対向配置された粉粒体受部を備えると共に、堆積した粉粒体を流出させる流出口を開閉可能に備えており、前記微細流路口を介して前記収容部から落下する粉粒体を前記計量室部の前記粉粒体受部に堆積させ、堆積する粉粒体の上端が前記微細流路口に達して該微細流路口を閉塞すると共に粉粒体の落下を遮断することによって所定量の粉粒体を計量し、計量した粉粒体を前記流出口から流出させる倒立計量容器を提供することにより、上記目的を達成したものである。
【発明の効果】
【０００８】
本発明の倒立計量容器によれば、使用者が手を離して放置している間に、倒立状態で置いておくだけで、所定量の粉粒体を自動的に計量できると共に、計量された所定量の粉粒体を使用時にスムーズに注出することができる。
【図面の簡単な説明】
【０００９】
【図１】本発明の好ましい第１実施形態に係る倒立計量容器の倒立状態の斜視図である。
【図２】（ａ），（ｂ）は、本発明の好ましい第１実施形態に係る倒立計量容器を用いて所定量の粉粒体を計量する状況を説明する、一部を断面図として示す側面図である。
【図３】計量した粉粒体を注出する状況を説明する要部斜視図である。
【図４】（ａ）は計量した所定量よりも少ない量の粉粒体を注出する状況を説明する要部斜視図、（ｂ）は計量した所定量よりも多い量の粉粒体を注出する状況を説明する要部斜視図である。
【図５】本発明の好ましい第２実施形態に係る倒立計量容器の倒立状態の斜視図である。
【図６】本発明の好ましい第２実施形態に係る倒立計量容器を用いて所定量の粉粒体を計量する状況を説明する、一部を断面図として示す側面図である。
【発明を実施するための形態】
【００１０】
図１及び図２（ａ），（ｂ）に示す本発明の好ましい第１実施形態に係る倒立計量容器１０は、粉体又は粒体（以下粉粒体とする）として、例えば粉状洗剤を収容する略円筒形状の合成樹脂製の容器である。本第１実施形態の倒立計量容器１０は、好ましくは容器本体１１に天面部１２ａが平坦なキャップ１２が着脱可能に装着されていることにより、使用者が手を離すことで放置されている間、キャップ１２を下方にした倒立状態で、天面部１２ａを載置面として被載置面に安定した状態で立設させておくことができ、また、このような倒立状態で放置されている間に、所定量の粉粒体２０を自動的に計量する機能を備えている。
【００１１】
本第１実施形態の倒立計量容器１０は、粉粒体２０を収容する収容部１３を備える容器本体１１と、収容部１３と微細流路口１５を介して連通する計量室部１４とからなり、計量室部１４を下方に配置した倒立状態で、粉粒体２０を収容部１３から計量室部１４に落下させることにより、予め設定された所定量の粉粒体２０を計量室部１４に堆積させて計量する計量容器である。計量室部１４は、収容部１３からの内容物が通過する微細流路口１５と対向する位置に離間して配置された粉粒体受部１６を備える。計量室部１４は、堆積した粉粒体２０を流出させる流出口２１を開閉可能に備えており、微細流路口１５を介して収容部１３から落下する粉粒体２０を計量室部１４の粉粒体受部１６に堆積させ、堆積する粉粒体２０の上端が微細流路口１５に達してこの微細流路口１５を閉塞すると共に粉粒体２０の落下を遮断することによって所定量の粉粒体が計量される（図２（ａ），（ｂ）参照）。計量された粉粒体は流出口２１から流出される（図３参照）。
【００１２】
本第１実施形態の倒立計量容器１０では、収容部１３と計量室部１４とは、微細流路口１５が設けられた仕切材１８によって容器本体１１を上下に仕切ることによって形成されている。
【００１３】
さらに、本第１実施形態の倒立計量容器１０では、流出口２１は、平坦な載置面（天面部）１２ａを有する蓋部材であるキャップ１２によって開閉可能に封止され、載置面１２ａを介して被載置面に倒立状態で載置される。
【００１４】
本第１実施形態では、容器本体１１は、有底円筒形状の胴部１７と、胴部１７の天面開口を覆ってこれの肩部分１７ａに嵌着される透明カバー部１９と、胴部１７と透明カバー部１９との間に取り付けられる仕切材１８とを一体として組み付けることによって形成される。
【００１５】
胴部１７は、手で把持することが容易な大きさの外周形状を備えると共に、その底部１７ｂが半球状の凸曲面となっている。底部１７ｂが凸曲面となっていることにより、当該底部１７ｂを下方に配置して容器本体１１を正立状態で立たせることが困難になり、使用者が容器１０を倒立状態で置くように誘導することとなる。なお、胴部１７の底部１７ｂには、その一部に平坦な部分を設けて、安定性には欠けるが正立状態にも置くことが可能なようにすることもできる。これによって、倒立状態で置くように誘導する機能を保持しつつ、例えば容器本体１１に粉粒体２０を補充するためにキャップ１２を取り外した際などに、容器本体１１を正立状態で置くことが可能になり、使い勝手を向上させることができる。
【００１６】
また、胴部１７の天面開口に隣接する肩部分１７ａは、外周面が僅かに縮径された段部となっており、この肩部分１７ａには、仕切材１８のスカート部１８ａを挟み込んだ状態で、透明カバー部１９の下段スカート部１９ａが嵌着されることになる。なお、透明カバー部１９は、仕切材１８と共に胴部１７の肩部分１７ａから取り外すことができるようになっており、これによって胴部１７の天面開口を開放して、粉粒体２０の補充等を適宜行うことができる。
【００１７】
仕切材１８は、容器本体１１の中空内部を上下に仕切る部材であり、中心に向けて上方に傾斜が盛り上がるマウンド形状の円盤部１８ｂと、円盤部１８ｂの周縁部から円筒状に下方に延設するスカート部１８ａとからなる。スカート部１８ａは、透明カバー部１９を胴部１７に一体として装着する際に、胴部１７の肩部分１７ａと透明カバー部１９の下段スカート部１９ａとの間に挟み込まれて固着される。このことにより、円盤部１８ｂは、胴部１７の天面開口を覆って配置する。
【００１８】
円盤部１８ｂは、胴部１７の天面開口を覆って配置され、容器本体１１の中空内部を、当該円盤部１８ｂと底部１７ｂとの間の収容部１３と、当該円盤部１８ｂと透明カバー部１９の粉粒体受部１６との間の計量室部１４とに区画する。また、円盤部１８ｂは、その中心部分に微細流路口１５が開口形成されている。容器１０が倒立状態で載置された際に、円盤部１８ｂは、微細流路口１５に向けて下方に傾斜するすり鉢状の凹部を形成することになり、収容部１３に収容されている粉粒体２０を微細流路口１５に向けてスムーズに案内して流下させることが可能になる。
【００１９】
ここで、微細流路口１５の口径は、１〜８ｍｍであることが好ましい。微細流路口１５の口径が１〜８ｍｍであることにより、流出口２１から流出させる際に、流出口１５から計量室部１４へ流れ込む量を最小限にすることができ、計量した粉粒体の誤差を最小限に抑えることができるという利点が得られる。なお、微細流路口１５の口径は、微細流路口１５が円形である場合はその直径であり、円形以外の形状である場合はその形状の最大幅である。
【００２０】
透明カバー部１９は、透明な樹脂材料からなる成形品である。透明カバー部１９は、先端が流出口２１として開口する切頭円錐形状のノズル部２２が中央部分から突出する、ノズル部２２に向けて上方に傾斜が盛り上がるマウンド形状の粉粒体受部１６と、粉粒体受部１６の周縁部から下方に延設する、連接する２段の円筒形状の上段スカート部１９ｂ及び下段スカート部１９ａとからなる。
【００２１】
下段スカート部１９ａは、透明カバー部１９を胴部１７に一体として組み付ける際に、仕切材１８のスカート部１８ａを挟み込んだ状態で胴部１７の肩部分１７ａに嵌着される部分である。上段スカート部１９ｂは、外周面を下段スカート部１９ａよりも僅かに縮径させて、下段スカート部１９ａと粉粒体受部１６との間に介在する部分である。
【００２２】
下段スカート部１９ａと粉粒体受部１６との間に上段スカート部１９ｂが介在していることにより、仕切材１８に設けられた微細流路口１５と粉粒体受部１６との間に相当の間隔を保持して、予め設定された所定量の粉粒体２０を微細流路口１５から計量室部１４に流下させて堆積させることが可能になる。なお、例えば上段スカート部１９ｂの高さを調整して、粉粒体受部１６と微細流路口１５との間隔を調整することにより、計量される粉粒体２０の所定量が所望の量となるように適宜設定することができる。また、上段スカート部１９ｂには、これの外周面に沿ってキャップ１２が着脱可能に装着されることになる。
【００２３】
粉粒体受部１６は、仕切材１８に設けられた微細流路口１５と対向配置されて、容器１０が倒立状態で載置された際に、微細流路口１５から落下する粉粒体２０を受領して、微細流路口１５に向けて安定した状態で粉粒体２０を堆積させる部分である。粉粒体受部１６は、ノズル部２２に向けて下方に傾斜するすり鉢状の凹部を形成することになり、ノズル部２２から微細流路口１５に向けて計量室部１４に粉粒体２０を堆積させる際に、堆積される粉粒体２０の下部が過度に末広がりに広がらないように規制することが可能になる。また、容器１０を把持して例えば正立状態にすると共にキャップ１２を取り外した後に、容器１０を傾倒させて計量された粉粒体２０を注出する際に（図３参照）、計量された粉粒体２０をすり鉢状の粉粒体受部１６を介してノズル部２２にスムーズに案内して、流出口２１から容易に流下させることができるようになっている。
【００２４】
ここで、微細流路口１５の口径は、計量室部１４に設けられたノズル部２２の流出口２１の口径の１／３以下となっていることが好ましい。微細流路口１５の口径が流出口２１の口径の１／３以下となっていることにより流出口２１から流出させる際に、流出口１５から計量室部１４へ流れ込む量を最小限にすることができ、計量した粉粒体の誤差を最小限に抑えることができるという利点が得られる。なお、流出口２１の口径は、流出口２１が円形である場合はその直径であり、円形以外の形状である場合はその形状の最大幅である。
【００２５】
本実施形態では、透明カバー部１９の上段スカート部１９ｂの外周面に沿って着脱可能に装着されるキャップ１２は、透明な樹脂材料からなる成形品であり、透明カバー部１９の粉粒体受部１６を覆って取付けられる。キャップ１２は、平坦な円形の天面部１２ａと、天面部１２ａの周縁部から下方に延設する円筒形状の装着スカート部１２ｂとからなる。キャップ１２は、装着スカート部１２ｂの下部を透明カバー部１９の上段スカート部１９ｂの外周面に嵌め込んで装着した際に、天面部１２ａの内側面がノズル部２２の流出口２１の開口周縁部に密着することにより、キャップ１２の着脱に伴って流出口２１を開閉可能に封止する。またキャップ１２は、当該キャップ１２が容器本体１１に装着された際に、平坦な天面部１２ａが載置面を形成し、容器１０を安定した倒立状態で被載置面に立設させておくことが可能になる。
【００２６】
そして、上述の構成を備える本第１実施形態の倒立計量容器１０によれば、使用者が手を離して放置されている間に、倒立状態で置いておくだけで、所定量の粉粒体２０を自動的に計量することができると共に、計量された所定量の粉粒体２０を使用時にスムーズに注出することができる。
【００２７】
すなわち、本第１実施形態の倒立計量容器１０は、粉粒体２０の収容部１３を備える容器本体１１と、収容部１３と微細流路口１５を介して連通する計量室部１４とからなり、計量室部１４は、微細流路口１５と離間して対向配置された粉粒体受部１６を備えると共に、計量した粉粒体２０を流出させる流出口２１を備えているので、図２（ａ），（ｂ）に示すように、計量室部１４を下方に配置した倒立状態で、収容された粉粒体２０を収容部１３から微細流路口１５を介して計量室部１４に落下させると共に、落下する粉粒体２０を計量室部１４の粉粒体受部１６に堆積させ、堆積する粉粒体２０の上端が微細流路口１５に達してこの微細流路口１５を閉塞することにより、予め設定された所定量の粉粒体２０を自動的に計量することが可能になる。
【００２８】
また、計量された粉粒体２０は、使用時に例えば容器を倒立状態から正立状態にしてキャップ１２を取り外した後に、図３に示すように、容器１０を傾倒させることにより、計量室部１４から流出口２１を介してスムーズに注出することが可能になる。
【００２９】
ここで、計量室部１４から粉粒体２０を注出するために容器１０を傾倒させた際に、微細流路口１５から収容部１３内の粉粒体２０が計量室部１４に追加流入して流出口２１から注出されることになるが、微細流路口１５から追加流入する粉粒体２０の量は、計量された所定量の粉粒体２０と比較して微量であるため、計量された粉粒体２０の所定量に実質的な影響を及ぼすことがない。
【００３０】
また、計量された所定量よりも少ない量の粉粒体２０を使用したい場合には、例えば４（ａ）に示すように、計量された粉粒体２０の全てを注出することなく、計量室部１４に粉粒体２０を必要量残して用いることもできる。残された粉粒体２０は、容器１０を倒立状態とした次回の計量時に、計量される粉粒体２０としてそのまま使用されることになる。
【００３１】
さらに、計量された所定量よりも多い量の粉粒体２０を使用したい場合には、例えば４（ｂ）に示すように、計量された粉粒体２０の全てを注出した後、容器１０を傾倒させた状態でそのまま保持すれば、収容部１３内の粉粒体２０を微細流路口１５から計量室部１４に追加流入させつつ流出口２１から注出させることができるので、追加量を調整しながら粉粒体２０を使用することが可能になる。
【００３２】
また、本実施形態では、微細流路口１５から流下する粉粒体２０の単位時間当たりの流下量ｍ1と、流出口２１から流出する粉粒体２０の単位時間当たりの流出量ｍ2との比を適宜設定することができる。微細流路口１５からの単位時間当たりの流下量ｍ1と、流出口２１からの単位時間当たりの流出量ｍ2との比ｍ1／ｍ2は、０．０２〜０．００５とすることが好ましい。微細流路口１５からの単位時間当たりの流下量ｍ1と、流出口２１からの単位時間当たりの流出量ｍ2との比ｍ1／ｍ2を０．０２〜０．００５とすることにより、流出口２１から流出させる際に、流出口１５から計量室部１４へ流れ込む量を最小限にすることができ、計量した粉粒体の誤差を最小限に抑えることができるという利点が得られる。
【００３３】
図５及び図６は、本発明の好ましい第２実施形態に係る倒立計量容器３０を示すものである。本第２実施形態の倒立計量容器３０では、容器本体３１及び平坦な載置面（天面部）３２ａを有する蓋部材としてのキャップ３２は、略矩形断面形状を有するように形成されている。また、容器本体３１は、粉粒体流路３３及び微細流路口３５を備える仕切ブロック３４によって、粉粒体２０を収容する収容部３６と計量室部３７とに区画されている。さらに計量室部３７内の粉粒体受部３８は、略矩形断面形状の一方の短辺部から他方の短辺部に向って上方に傾斜する傾斜板として設けられており、粉粒体受部３８の傾斜方向最上端部分（倒立状態での最下端部分）に、流出口３９が開口形成されている。
【００３４】
そして、本第２実施形態の倒立計量容器３０によっても、計量室部３７は、微細流路口３５と離間して対向配置された粉粒体受部３８を備えると共に、計量した粉粒体２０を流出させる流出口３９を備えており、計量室部３７を下方にした倒立状態で置いて置くことで、予め設定された所定量の粉粒体２０を自動的に計量することができるので、上記第１実施形態の倒立計量容器１０と同様の作用効果が奏されることになる。
【００３５】
なお、本発明は上記各実施形態に限定されることなく種々の変更が可能である。例えば、収容部と計量室部とは、微細流路口が設けられた仕切材や仕切ブロックによって容器本体を仕切ることによって形成される必要は必ずしもない。また、容器を倒立状態で載置するための平坦な載置面は、キャップの平坦な天面部である必要は必しもなく、容器本体に設けられていても良い。さらに、流出口は、ヒンジ蓋等によって開閉可能に封止されるものであっても良く、軸中心をずらした蓋の回転によって開閉可能に封止しても良い。さらにまた、収容部に収容されて計量される粉粒体は、洗剤以外の例えば食品等であっても良い。
【符号の説明】
【００３６】
１０，３０  倒立計量容器
１１，３１  容器本体
１２，３２  キャップ（蓋部材）
１２ａ，３２ａ  キャップの天面部（載置面）
１３，３６  収容部
１４，３７  計量室部
１５，３５  微細流路口
１６，３８  粉粒体受部
１７  検量物
１８  仕切材
１９  透明カバー部
２０  粉粒体
２１，３９  流出口
２２  ノズル部
【図１】
2010179931.tif 000003
【図２】
2010179931.tif 000004
【図３】
2010179931.tif 000005
【図４】
2010179931.tif 000006
【図５】
2010179931.tif 000007
【図６】
2010179931.tif 000008